(57)【要約】【課題】  坐禅を組む際に尻の下に敷くクッションの高さ（厚み）を容易に調整可能として、坐禅を組む個人の体重や体格に合わせて楽に坐禅が組めるようにするとともに、坐禅の途中や終了後に横臥した状態での休息を快適に行うことができ、容易に折り畳むことでコンパクトに収納かつ持ち運びを容易とした坐禅用マットを提供することを目的とする。【解決手段】  蛇腹状に折り畳み可能に連設された長方形の複数のマットからなり、該複数のマットのうち端部の１枚のマットのみ他のマットよりも厚くせしめ、第１マット群として構成したことで、坐禅を組む際に尻の下に敷くクッションの高さ（厚み）を容易に調整可能として、坐禅を組む個人の体重や体格に合わせて楽に坐禅が組めるようにするとともに、坐禅の途中や終了後に横臥した状態での休息を快適に行うことができ、容易に折り畳むことでコンパクトに収納かつ持ち運びを可能とした坐禅用マットを提供することを可能とした。【選択図】図１
0003151426.tif 000002
【実用新案登録請求の範囲】
【請求項１】
蛇腹状に折り畳み可能に連設された長方形の複数のマットからなり、該複数のマットのうち端部の１枚のマットのみ他のマットよりも厚くせしめ、第１マット群として構成したことを特長とする坐禅マット。
【請求項２】
前記第１マット群と、蛇腹状に折り畳み可能に連設された第１マット群と同一サイズの長方形で同一の厚みの複数のマットからなる第２マット群とからなり、第１マット群と第２マット群とは着脱可能に連結したことを特長とする請求項１に記載の坐禅マット。
【請求項３】
前記第１マット群、あるいは前記第１マット群と第２マット群とを、蛇腹状に折り畳むことで収納・持ち運びに適した長方体として、木製の警策とを合わせてバッグに収納したことを特長とする請求項１及び２に記載の坐禅マット。
【考案の詳細な説明】
【技術分野】
【０００１】  本考案は、坐禅を時と場所を選ばず気軽に組むことができる坐禅マットに関し、特に座面の高さ調整が容易で、コンパクトに収納及び持ち運び容易とした坐禅マットに関する。
【背景技術】
【０００２】  近年、坐禅が老若男女を問わず幅広い層から注目されている。心身へのストレスの多い現代社会において坐禅を組むことは、心身のバランスを整えるための一つの方法として大いに有効である。お寺では初心者を対象にした坐禅会を催して、初心者が気軽に坐禅を始められるように入門の間口を広げたり、小中高校などでは教育の一環や、生徒の心身の安定、集中力の向上を目的として生徒に坐禅を体験させる試みや、企業においても従業員の研修や、心身の安定、集中力の向上のために取り入れる例が増えている。また、坐禅を組む場所はお寺だけではなく、精神を集中できるような環境、すなわち静寂かつ適度な暗さであって、精神集中を妨げるような要素を排除した環境であれば家庭や職場であっても坐禅を組むことが可能である。【０００３】  図９は、従来例を示す図である。坐禅を組む際にはあぐらをかくが、一般的には図９に示すように尻の下に坐禅用のクッションである坐蒲（ざふ）（７）と座布団（８）を敷いたり、図示しないが座布団を二つ折りにしたものを尻の下に入れることで安定した坐禅の姿勢を保つ。このようにクッション性のあるものを敷いても、坐禅を長時間組むことは足が痛むなどの苦痛が伴うものである。そこで次に示す特許文献の技術が発明されている。【０００４】  例えば特開２００２−２５３３８７号公報（特許文献１）に開示された「坐禅椅子」は、足が痛むことがなく長時間快適に坐禅をすることが可能な坐禅椅子を提供することを目的としたもので、基台の上端に前方に前下がりに傾斜する坐台を有し、坐台の下方に膝から足首までを案内する案内部を備えたものである。これにより、足の苦痛なしに、坐禅の要諦の一つである腰に力を入れ、下腹部（臀下丹田）を前に突き出し、総ての重心を腰に掛け、背骨をぐっとまっすぐに伸ばす姿勢を維持するのに整合する。また、特開２００８−２８９８４１号公報（特許文献２）に開示された「座具」は、坐禅における苦痛の緩和と姿勢もよくなる座具を提供することを主たる目的としたもので、座具本体と該座具本体をカバーするカバーとからなる座具であって、前記座具本体は、尻が乗る箇所が狭く、膝の内側に位置する箇所が広くされた台形鏡餅状としたものである。これにより、尻が乗る部分以外は下り勾配とされているので、骨盤を左右に動かすことができ、骨盤を左右に動かすことにより、腰椎や脊椎が動いて疲労感が和らぎ、治癒力が働き、体がほぐされ、心地よい感じが得られるという優れた効果や、太腿が圧迫されることがないので、脚にしびれがくることがなく、長時間座っていることができるという優れた効果が得られる。
【先行技術文献】
【特許文献】
【０００５】
【特許文献１】  特開２００２−２５３３８７号公報
【特許文献２】  特開２００８−２８９８４１号公報
【考案の概要】
【考案が解決しようとする課題】
【０００６】  ところで、従来の坐蒲や座布団を二つ折りにしたものは、もともとのその厚みの上に尻を乗せるのであって坐禅を組む個人の体重や体格に適した厚みであるか否かについては全く考慮されたものではない。また、坐禅の途中や終了後など横臥して休息する場合は、坐蒲や座布団は枕にすることができるが、身体は堅く冷たい床に直接横臥することになり快適なものではない。さらに、坐蒲や座布団は坐禅を組む場所に予め用意されているものであって、特に収納や持ち運びを考慮したものではない。【０００７】  また、特許文献１の坐禅椅子にあっては、高さ調整を可能として坐禅を組む個人の体重や体格に合わせて楽に坐禅が組めるようにしたものであるが、前記同様に横臥して休息することを考慮したものではなく、かつ収納や持ち運びを考慮したものではない。【０００８】  さらに、特許文献２の座具にあっては、従来の坐蒲や座布団と同様に、もともとのその厚みの上に尻を乗せるのであって坐禅を組む個人の体重や体格に適した厚みであるか否かについては全く考慮されたものではなく、前記同様に横臥して休息することを考慮したものではなく、かつ収納や持ち運びを考慮したものではない。【０００９】  そこで本考案は、坐禅を組む際に尻の下に敷くクッションの高さ（厚み）を容易に調整可能として、坐禅を組む個人の体重や体格に合わせて楽に坐禅が組めるようにするとともに、坐禅の途中や終了後に横臥した状態での休息を快適に行うことができ、容易に折り畳むことでコンパクトに収納かつ持ち運びを可能とした坐禅用マットを提供することを目的とするものである。
【課題を解決するための手段】
【００１０】  蛇腹状に折り畳み可能に連設された長方形の複数のマットからなり、該複数のマットのうち端部の１枚のマットのみ他のマットよりも厚くせしめ、第１マット群として構成したことで解決される。【００１１】  前記第１マット群と、蛇腹状に折り畳み可能に連設された第１マット群と同一サイズの長方形で同一の厚みの複数のマットからなる第２マット群とからなり、第１マット群と第２マット群とは着脱可能に連結したことで解決される。【００１２】  前記第１マット群、あるいは前記第１マット群と第２マット群とを、蛇腹状に折り畳むことで収納・持ち運びに適した長方体として、木製の警策とを合わせてバッグに収納したことで解決される。
【考案の効果】
【００１３】  蛇腹状に折り畳み可能に連設された長方形の複数のマットからなり、該複数のマットのうち端部の１枚のマットのみ他のマットよりも厚くせしめ、第１マット群として構成したことで、坐禅を組む際に尻の下に敷くクッションの高さを容易に調整可能として、坐禅を組む個人の体重や体格に合わせて楽に坐禅が組めるようにするとともに、坐禅の途中や終了後に横臥した状態での休息を快適に行うことができ、容易に折り畳むことでコンパクトに収納かつ持ち運びを可能とした坐禅用マットを提供することを可能とした。【００１４】  前記第１マット群と、蛇腹状に折り畳み可能に連設された第１マット群と同一サイズの長方形で同一の厚みの複数のマットからなる第２マット群とからなり、第１マット群と第２マット群とを着脱可能に連結したことで、前記した効果と同時に、使用状態に合わせて着脱することで、必要なマットのみを使用することができるため、使い勝手の向上を実現した。【００１５】  前記第１マット群、あるいは前記第１マット群と第２マット群とを、蛇腹状に折り畳むことで収納・持ち運びに適した長方体として、木製の警策とを合わせてバッグに収納したことで、前記した効果と同時に、警策も合わせて収納されているので、お寺はもとより、家庭、学校、企業など様々なシチュエーションで坐禅を組むことが可能となる。
【図面の簡単な説明】
【００１６】
【図１】本考案の第１の実施例を示す図である。
【図２】本考案の第１の実施例の斜視図である。
【図３】本考案の第１の実施例の使用状態を示す図である。
【図４】本考案の第１の実施例の使用状態を示す図である。
【図５】本考案の第１の実施例の使用状態を示す図である。
【図６】本考案の第１の実施例を示す図である。
【図７】本考案の第２の実施例の使用状態を示す図である。
【図８】本考案の第３の実施例を示す図である。
【図９】従来例を示す図である。
【考案を実施するための形態】
【実施例１】
【００１７】  次に、本考案の坐禅マットについて、図面を参照して詳細に説明する。図１は本考案の第１の実施例の基本的な使用状態を示す図、図２は本考案の第１の実施例の斜視図である。【００１８】  本考案の坐禅マットは、図１及び図２に示されるように、蛇腹状に折り畳み可能に連設された長方形の複数のマット（１ａ）及び（１ｂ）とからなり、該複数のマットのうち端部の１枚のマットのみ他のマットよりも厚くせしめ厚マット（１ａ）とした。他のマットは薄マット（１ｂ）として第１マット群として構成した。（１ａ）と（１ｂ）の各マットは、長辺同士を折り畳み可能にナイロンベルトなどの可撓性素材からなる連設部材（３）で連設して構成している。そして各マット（１ａ）と（１ｂ）は、概ね長辺を６０ｃｍ、短辺を２０ｃｍとした長方形でウレタンなどのクッション性を有する素材からなり、厚マット（１ａ）は概ね５ｃｍ程度、薄マット（１ｂ）は概ね１ｃｍ程度の厚みで構成され、図１に示されるように厚マット（１ａ）は尻の下、薄マット（１ｂ）は膝など脚に位置し、図９に示した従来例と同様に尻の下に厚めのマットを敷くことで、安定した坐禅を組む姿勢を維持することができる。また、図１及び図２において第１マット群（１）は、広げた状態での全体サイズは、幅と長さともに６０ｃｍ程度で、座布団と同様なサイズのマットとして構成される。【００１９】  図３は、本考案の第１の実施例の薄マット（１ｂ）の枚数を増やした状態を示す図である。図１及び図２において第１マット群は、合わせて３枚のマット（１ａ）と（１ｂ）から構成されているが、薄マット（１ｂ）の枚数をさらに増やして、蛇腹状に折り畳むことで、坐禅を組む際に尻の下に敷くマットの高さを概ね１ｃｍ単位で容易に調整することが可能となる。これにより、坐禅を組む個人の体重や体格に合わせて楽に坐禅が組めるようにすることが可能となる。【００２０】  図４は、前記と同様にした薄マット（１ｂ）の枚数を増やして、折り畳み状態をアレンジした図である。これにより膝の下に位置するマットが２重になることでよりクッション性を向上させることが可能となり、坐禅を組む個人の体重や体格に合わせて楽に坐禅が組むことが可能となる。【００２１】  図５は、前記と同様にした薄マット（１ｂ）の枚数を増やして、折り畳まずに伸ばした状態を示す図である。このときの長さは概ね１８０ｃｍとなるので、日本人男性の平均的身長であれば厚マット（１ａ）を枕として横臥することが可能となる。長時間にわたる坐禅や深夜の坐禅の途中や終了後に休息を取るような場合に横臥することで、坐禅の際に極めて幅広い仕様態様を得ることを可能とした。なお、坐禅以外にもキャンプ用のマット、災害時の避難所用就寝用マットなどさらに幅広いシチュエーションで活用することが可能なことは言うまでもない。【００２２】  第１の実施例では、以上のように構成したことで、坐禅を組む際に尻の下に敷くクッションの高さ（厚み）を容易に調整可能として、坐禅を組む個人の体重や体格に合わせて楽に坐禅が組めるようにするとともに、坐禅の途中や終了後に横臥した状態での休息を快適に行うことができ、容易に折り畳むことでコンパクトに収納かつ持ち運びを可能とした坐禅用マットを提供することを可能とした。
【実施例２】
【００２３】  図６は、本考案の第２の実施例を示す図である。第２の実施例では前記した第１マット群（１）に加えて第２マット群（２）を設けた。第２マット群（２）は、第１マット群（１）と同様に、薄マット（２ｂ）の長辺同士を折り畳可能に連設部材（３）で連設して構成している。薄マット（２ｂ）の各々は薄マット（１ｂ）と同一に構成される。図６において第２マット群（２）の広げた状態での全体サイズは、幅６０ｃｍ、長さ１２０ｃｍ程度である。第１マット群（１）と第２マット群（２）は、双方の長さ方向の一端の辺に設けられた連結部材（４）によって着脱可能に連結した。連結部材（４）は一般的に用いられる着脱手段であるホックを用いた。これにより、使用状態に合わせて着脱して使用することで、必要なマットのみを使用したり、連結することで厚みを増やしたりといった使い勝手の向上を、前記第１の実施例で述べた効果に加えて実現した。【００２４】  図７は、各マット（１ａ）、（１ｂ）、（２ｂ）の折り畳み状態をアレンジした図である。尻の下に位置するマットを極めて高く（厚く）したことを示す極端な例であって、坐禅を組む個人の体重や体格に合わせて楽に坐禅が組むことが可能となる。【００２５】  その他の折り畳みのアレンジについては、蛇腹状に折り畳むことで容易に多数のパターンを得ることができる。それらのパターンの一例は、第１の実施例における図３乃至５を参照すれば事足りるので図示は省略する。
【実施例３】
【００２６】  図８は、本考案の第３の実施例を示す図である。第１マット群（１）と第２マット群（２）の全てを蛇腹状に折り畳んだ状態にして、持ち手（６ａ）付きの専用のバッグ（６）に収納した状態を示す図である（バッグ（６）は仮想線で表した）。バッグ（６）の形態はこれに限らず本考案の坐禅マットが適宜収納することができ、持ち運びが容易なように持ち手やヒモが備えられていれば良い。また、本実施例ではバッグ（６）に、坐禅の際に用いる警策（５）（きょうさく）を同時に収納して構成した。警策は坐禅の際、修行者の肩あるいは背中を打つための棒で、一般的には持ち手が円柱状で先端に行くにしたがって扁平状の形状で、樫や栗などの木材を用いる。本考案での警策（５）は坐禅マットと同時にバッグ（６）に収納するために、長さを概ね６０ｃｍ、幅を概ね５ｃｍとして構成した。このように坐禅マットと警策をコンパクトに収納して持ち運びを容易なセットにしたことで、お寺での坐禅はもとより、家庭、学校、企業など様々なシチュエーションで容易に坐禅を組むことが可能となる。【００２７】  以上のとおり、坐禅マットと警策をコンパクトに収納して持ち運び容易としたことで、家庭、学校、企業においても坐禅に適した環境を整えることで、容易に坐禅を組むことが可能となり、心身へのストレスの多い現代社会においては、子供から大人まで老若男女を問わずして心身の安定や集中力の向上、精神性の向上を実現することが可能となるものである。
【符号の説明】
【００２８】１          第１マット群
１ａ        厚マット
１ｂ        薄マット
２          第２マット群
２ｂ        薄マット
３          連設部材
４          連結部材
５          警策
６          バッグ
７          坐蒲
８          座布団
【図１】
0003151426.tif 000003
【図２】
0003151426.tif 000004
【図３】
0003151426.tif 000005
【図４】
0003151426.tif 000006
【図５】
0003151426.tif 000007
【図６】
0003151426.tif 000008
【図７】
0003151426.tif 000009
【図８】
0003151426.tif 000010
【図９】
0003151426.tif 000011
【手続補正書】
【提出日】平成21年3月19日(2009.3.19)
【手続補正１】
【補正対象書類名】実用新案登録請求の範囲
【補正対象項目名】請求項３
【補正方法】変更
【補正の内容】
【請求項３】
前記第１マット群、あるいは前記第１マット群と第２マット群とを、蛇腹状に折り畳むことで収納・持ち運びに適した長方体として、木製の警策とを合わせてバッグに収納したことを特長とする請求項１又は２に記載の坐禅マット。